(57)【要約】【課題】  動作状態に応じて適切に、通気孔からの熱の排出とレンズ保護を図る。【解決手段】  レンズバリア（１４）は、電源オフ時には、通気孔（１８）及び撮像レンズ（１２）の両方を遮蔽する両遮蔽位置に位置する。レンズバリア（１４）は、再生モードでは、通気孔（１８）を露出し、撮像レンズ（１２）を遮蔽するレンズ遮蔽位置に位置する。レンズバリア（１４）は、記録モードでは、通気孔（１８）及び撮像レンズ（１２）の両方を露出する両露出位置に位置する。【選択図】  図１
2009216870.tif 000002
【特許請求の範囲】
【請求項１】
撮像レンズに並んで配置される通気孔と、
前記通気孔及び前記撮像レンズの両方を遮蔽する両遮蔽位置、前記通気孔を露出し、前記撮像レンズを遮蔽するレンズ遮蔽位置、及び、前記通気孔及び前記撮像レンズの両方を露出する両露出位置に移動できるレンズバリアと、
動作状態に応じて、前記レンズバリアを前記両遮蔽位置、前記レンズ遮蔽位置及び前記両露出位置の何れかに位置させるバリア移動手段
とを具備することを特徴とする撮像装置。
【請求項２】
前記バリア移動手段は、電源オフのときに、前記レンズバリアを前記両遮蔽位置に位置させ、再生モードでは前記レンズバリアを前記レンズ遮蔽位置に位置させ、記録モードでは、前記レンズバリアを前記両露出位置に位置させることを特徴とする請求項１に記載の撮像装置。
【発明の詳細な説明】
【技術分野】
【０００１】
本発明は、撮像装置に関し、より具体的には、レンズバリアを備える撮像装置に関する。
【背景技術】
【０００２】
電子機器、特に小型の電子機器では、内部で発生する熱の放熱が重要である。例えば、少なくとも２つの放熱用通気孔を備え、これらの放熱用通気孔を電源スイッチ等の操作に連動して開閉する構成が提案されている（特許文献１参照）。
【０００３】
例えば、ビデオカメラ又はスチルカメラには、撮像レンズの被写体側面を保護するレンズバリアを装備するものがある。また、スイッチ操作に応じて、レンズバリアをレンズ前面から退避させる構成のカメラもある。
【０００４】
図８は、レンズバリアを有するビデオカメラの正面図を示す。図８（ａ）は、カメラ本体１１０の撮像レンズ１１２をレンズバリア１１４で遮蔽した状態を示し、図８（ｂ）は、レンズバリア１１４が撮像レンズ１１２の前面から退避して、撮像レンズ１１２を露出させた状態を示す。ユーザは操作スイッチ１１６により図８（ａ）に示すレンズ保護位置又はレンズ遮蔽位置と、図８（ｂ）に示すレンズ露出位置との間でレンズバリア１１４を移動させることができる。
【０００５】
通気孔１１８が撮像レンズ１１２の近傍に設けられており、レンズバリア１１４は、図８（ａ）に示すレンズ保護位置では、通気孔１１８を塞いでしまう。これに対し、図８（ｂ）に示すレンズ露出位置では、通気孔１１８はレンズバリア１１４で塞がれておらず、内部で発生した熱を外気に逃がすことができる。
【特許文献１】特開２００３−２４９７８２号公報
【発明の開示】
【発明が解決しようとする課題】
【０００６】
遮蔽位置でも通気孔１１８を開放するようにレンズバリア１１４の形状又は通気孔１１８の位置を工夫すれば良いが、小型化されてくると、そのような形状又は位置の変更では対応するのが困難になる。
【０００７】
本発明は、このような要望を満たす撮像装置を提示することを目的とする。
【課題を解決するための手段】
【０００８】
上記目的を達成するため、本発明に係る撮像装置は、撮像レンズに並んで配置される通気孔と、前記通気孔及び前記撮像レンズの両方を遮蔽する両遮蔽位置、前記通気孔を露出し、前記撮像レンズを遮蔽するレンズ遮蔽位置、及び、前記通気孔及び前記撮像レンズの両方を露出する両露出位置に移動できるレンズバリアと、動作状態に応じて、前記レンズバリアを前記両遮蔽位置、前記レンズ遮蔽位置及び前記両露出位置の何れかに位置させるバリア移動手段とを具備することを特徴とする。
【発明の効果】
【０００９】
本発明によれば、動作状態に応じて、レンズバリアを両遮蔽位置、レンズ遮蔽位置及び両露出位置の何れかに位置させるので、通気孔からのごみ等の進入を適切に防止でき、撮像レンズを保護できる。
【発明を実施するための最良の形態】
【００１０】
以下、図面を参照して、本発明の実施例を詳細に説明する。
【実施例１】
【００１１】
図１は、本発明の一実施例である撮像装置を正面から見た図であって、レンズバリアの位置の変遷を示す。カメラ本体１０の正面に撮像レンズ１２が配置され、撮像レンズ１２の前にレンズバリア１４が配置される。通気孔１８が撮像レンズ１２の横に配置されている。レンズバリア１４は、電源モードスイッチ１６の示す位置に応じて３つの位置に移動できる。図１（ａ）は、レンズバリア１４が、撮像レンズ１２と通気孔１８の両方を遮蔽する位置（両遮蔽位置という）にあるときの正面図を示す。図１（ｂ）は、レンズバリア１４が撮像レンズ１２を遮蔽するが、通気孔１８を露出又は開放する位置（レンズ遮蔽位置という）にあるときの正面図を示す。図１（ｃ）は、レンズバリア１４が、撮像レンズ１２と通気孔１８の両方を露出する位置（両露出位置という）にあるときの正面図を示す。
【００１２】
図２は、図１（ｂ）に対応する本実施例の断面図を示す。内部の発熱源２０で発生する熱が、矢印２２で示すように、通気孔１８を介して外気に排出される。
【００１３】
図３は、本実施例の概略機能ブロック図を示す。撮像素子３０は、撮像レンズ１２による光学像を電気画像信号に変換する。カメラ信号処理回路３２は、撮像素子３０からの画像信号にガンマ補正、色バランス調整及び色変換等の周知のカメラ信号処理を施す。記録再生装置３４は、カメラ信号処理回路３２からの画像信号を記録処理して記録媒体に記録する。画像表示装置３６は、カメラ信号処理回路３２から出力される画像信号を画像表示する。記録再生装置３４はまた、記録媒体に記録される画像信号を再生し、再生画像信号を画像表示装置３６に供給する。これにより、再生画像が画像表示装置３６の画面上に表示される。
【００１４】
制御回路３８は、ユーザによるスイッチ１６，４０，４２の操作に応じて、全体を制御する。電源モードスイッチ１６は、電源のオン／オフと動作モード（記録モード又は再生モード）の選択を制御回路３８に指示する。トリガースイッチ４０は、記録のスタート／ストップを制御回路３８に指示するのに使用される。再生スイッチ４２は、再生モードで、再生動作を操作するのに使用される。
【００１５】
バリアモータ４４は、バリア移動ユニット４６を介してレンズバリア１４を図１（ａ），（ｂ），（ｃ）に示す位置に移動させる。バリア位置検出ユニット４８は、レンズバリア１４の位置を検出し、検出結果を制御回路３８に通知する。制御回路３８はバリア位置検出ユニット４８の検出結果に従い、バリアモータ４４を制御する。
【００１６】
図４は、本実施例の特徴的なの動作のフローチャートを示す。レンズバリア１４は、両遮蔽位置（図１（ａ））にある（Ｓ１）。電源モードスイッチ１６がオンになると（Ｓ２）、制御回路３８は、電源モードスイッチ１６で記録モードと再生モードのどちらが選択されているかを確認する（Ｓ３）。
【００１７】
記録モードでは（Ｓ３）、制御回路３８はバリアモータ４４を駆動して、レンズバリア１４を両露出位置（図１（ｃ））に移動させる（Ｓ４〜Ｓ６）。レンズバリア１４が両露出位置に到達したことをバリア位置検出ユニット４８が検出すると（Ｓ６）、制御回路３８は、バリアモータ４４を停止する（Ｓ７）。トリガースイッチ４０の押下で（Ｓ８）、記録を開始し（Ｓ９）、トリガースイッチ４０の再度の押下で（Ｓ１０）、記録を停止する（Ｓ１１）。このあと、電源モードスイッチ１６が電源オンの位置にあれば（Ｓ１２）、ステップＳ３に戻る。
【００１８】
他方、再生モードでは（Ｓ３）、制御回路３８はバリアモータ４４を駆動して、レンズバリア１４をレンズ遮蔽位置（図１（ｂ））に移動させる（Ｓ１７〜Ｓ１９）。レンズバリア１４が、レンズ遮蔽位置に到達したことをバリア位置検出ユニット４８が検出すると（Ｓ１９）、制御回路３８は、バリアモータ４４を停止する（Ｓ２０）。再生スイッチ４２の押下で（Ｓ２１）、再生を開始し（Ｓ２２）、再生スイッチ４２の再度の押下で（Ｓ２３）、再生を停止する（Ｓ２４）。この後、電源モードスイッチ１６が電源オンの位置にあれば（Ｓ１２）、ステップＳ３に戻る。
【００１９】
電源モードスイッチ１６が電源オフの位置にあれば（Ｓ１２）、制御回路３８はバリアモータ４４を駆動して、レンズバリア１４を両遮蔽位置（図１（ａ））に移動させる（Ｓ１３〜Ｓ１６）。レンズバリア１４が両遮蔽位置に到達したことをバリア位置検出ユニット４８が検出すると（Ｓ１５）、制御回路３８は、バリアモータ４４を停止し（Ｓ１６）、ステップＳ２に戻る。
【００２０】
図５は、レンズバリア１４が両遮蔽位置にあるときの、バリア移動ユニット４６の機構図を示す。バリアモータ４４の回転は、バリアモータ４４の軸上のギヤ５０から、ギヤ５２，５４，５６に伝達される。ギヤ５６に装備されたアーム５８が、ギヤ５６の回転に応じて、レンズバリア１４を平行移動させる。バリア位置検出ユニット４８はギヤ５６に装備され、ギヤ５６の回転位置を検出することでレンズバリア１４の位置を検出する。
【００２１】
図６は、レンズバリア１４がレンズ遮蔽位置にあるときのバリア移動ユニット４６の機構図を示す。図７は、レンズバリア１４が両露出位置にあるときのバリア移動ユニット４６の機構図を示す。
【００２２】
本実施例では、動作状態に応じて、レンズバリアを３つの位置に制御するので、以下の効果がある。すなわち、電源オフ（非使用時）には、レンズバリア１４が撮像レンズ１２と通気孔１８の両方を遮蔽する両遮蔽位置（図１（ａ））にある。電源オフのときには、内部回路は動作しておらず、従って、熱を発生しない。通気孔１８を遮蔽することで、チリや埃の侵入を防止できる。勿論、撮像レンズ１２を、接触による指紋等の付着による汚れやキズから保護できる。
【００２３】
再生モードでは、レンズバリア１４は、通気孔１８を開放しつつ、撮像レンズ１２を遮蔽して保護するレンズ遮蔽位置（図１（ｂ））にある。これにより、発熱源２０からの熱を通気孔１８を介して外部に排出しつつ、撮像レンズ１２を保護できる。
【００２４】
記録モードでは、レンズバリア１４は、通気孔１８と撮像レンズ１２の両方を露出又は開放する両露出位置（図１（ｃ））にある。これにより、発熱源２０からの熱を通気孔１８を介して外部に排出しつつ、被写体の撮影・記録が可能になる。
【図面の簡単な説明】
【００２５】
【図１】本発明の一実施例におけるレンズバリアの配置の説明図である。
【図２】本実施例の断面図である。
【図３】本実施例の概略機能ブロック図である。
【図４】本実施例の動作フローチャートである。
【図５】レンズバリアが両遮蔽位置にあるときの、バリア移動ユニットの機構図である。
【図６】レンズバリアがレンズ遮蔽位置にあるときの、バリア移動ユニットの機構図である。
【図７】レンズバリアが両露出位置にあるときの、バリア移動ユニットの機構図である。
【図８】従来例におけるレンズバリアの配置の説明図である。
【符号の説明】
【００２６】
１０：カメラ本体
１２：撮像レンズ
１４：レンズバリア
１６：電源モードスイッチ
１８：通気孔
２０：発熱源
３０：撮像素子
３２：カメラ信号処理回路
３４：記録再生装置
３６：画像表示装置
３８：制御回路
４０：トリガースイッチ
４２：再生スイッチ
４４：バリアモータ
４６：バリア移動ユニット
４８：バリア位置検出ユニット
５０，５２，５４，５６：ギヤ
５８：アーム
１１０：カメラ本体
１１２：撮像レンズ
１１４：レンズバリア
１１６：操作スイッチ
１１８：通気孔
【図１】
2009216870.tif 000003
【図２】
2009216870.tif 000004
【図３】
2009216870.tif 000005
【図４】
2009216870.tif 000006
【図５】
2009216870.tif 000007
【図６】
2009216870.tif 000008
【図７】
2009216870.tif 000009
【図８】
2009216870.tif 000010